(57)【要約】      （修正有）【課題】文字等で文字・絵柄・数字による、針金による盆栽、植木、立ち木等植物等表示を提供する。【解決手段】盆栽・植木の土・本体・鉢等、又は立ち木等の本体に針金でフックにて引っ掛ける・土に差すだけでなく、針金でくくりつける、巻きつける、ぶら下げる等着脱容易にし、付ける外す手間を容易にし、その植物は名前や種を植えた日付は不変だが、成長の生育状況は生物として変化し続けるため、針金による表示をすれば、針金による表示を修正しさえすれば容易に変更が可能な変更容易性や着脱容易性、針金が風雨に耐える表示の耐久性・耐水性で、修正を要する表示部分と修正を要しない表示部分との併記も可能である。【選択図】図１
2014183826.tif 000002
【特許請求の範囲】
【請求項１】
盆栽・植木等の土への差込又は植木鉢や盆栽・植物等へのフックやくくりつけ、巻きつけ等で固定し、また盆栽・植木等の鉢やプランター等箱の形状を持つ植物収納容器類だけで無く、立ち木で表示を要する木、植物等の表示
【請求項２】
さらに、針金でできた請求項１の表示
【請求項３】
さらに、適宜フック部等をゴム管等で滑り止めした請求項１の表示
【請求項４】
さらに、表示は横長だけでなく、縦長等他形状をも含む請求項１の表示
【請求項５】
さらに、色で識別する請求項１の表示
【請求項５】
さらに、盆栽・植木等の名前や植えた日付、育成年月等を表示する請求項１の表示。
【請求項６】
さらに、図柄等を添えて又は単独で、文字のみ又は文字と併記し表示する請求項１表示。
【請求項７】
さらに、添える図柄等は、平面のみならず可能なら立体でも表現し得る請求項１の表示
【請求項８】
さらに、フックは、掛け方は単に上下に鍵型に掛けるのみならず、引っ掛ける物体と表示の縦横の寸法に応じ、適宜斜め襷掛け状等、またフックの形状は鍵型だけでなく、波型等、また盆栽・植木等に１点吊り等、針金で加工可能なフックで引っ掛ける請求項１の表示。
さらに、図では、文字が意味するのを明らかにする為、大きめに表現したが、植木鉢の縁程度前後、大小の寸法をも含む請求項１の表示。
【発明の詳細な説明】
【技術分野】
【０００１】  本発明は、文字等で文字・絵柄・数字による、針金による盆栽、植木、立ち木等植物等表示に関するものである。
【技術背景】
【０００２】  先に、私は文字、絵柄等によるパソコン画面にフックで掛ける針金による行き先等表示や職場等によくある注意喚起表示を出願した。
【０００３】  これは、技術背景として、パソコンの操作する机にて、離籍する際、パソコンの画面が点いているかどうかが、本人が在室しているかどうかの判断の為の対象となることがある。出退勤表示や会議等スケジュール管理のソフトウェアも市販されている。当然、これらはパソコンの電源が入っているときのみパソコンで閲覧・書き込み・修正等使用可能であるが、電源が入っていなければ使用できない。パソコン画面に針金でフックにて引っ掛けて着脱容易にし、貼る剥がす手間をなくし、所在を表示する表示があれば、職場でも在宅でも有効ではないかと考えた。
さらに、パソコン画面で表示すべきは、そのパソコン使用者の在不在だけでなく、「システムダウン」「サーバーメインテナンス中」「ＬＡＮメインテナンス中」「ウイルスチェック中」のパソコン使用環境等のみならず、「禁煙」「飲食禁止」「携帯禁止」等職場関連、「節電」「節水」など原発停止による夏場の節電キャンペーンについてパソコン等職場の良く見える掲示場所としての注意喚起表示もあり得ると考えられ、また「禁煙」「飲食禁止」等職場規律関連、「頑張れ福島」等東日本震災復興関連と言った職場等でよくある定番化した注意喚起も、絵柄、絵文字又は両記併用で有用ではないかと考えた。
【０００４】  さらに、針金によるフックでの行き先等表示や職場等によくある注意喚起表示は、盆栽・植木の土への差込又は植木鉢へのフックやくくりつけ、また盆栽・植木等の鉢やプランター等箱の形状を持つ植物収納容器類だけで無く、立ち木で表示を要する木、植物等の日英両方の言語の植物名や種を植えた日付、育成年限等の表示にも応用可能ではと気が付いた。針金には、耐久性・耐水性・加工の容易さ、色別の峻別性、軽さ、二酸化炭素を排出せず廃棄物としてくず鉄として再利用も可能な環境負荷の軽さの利点が生かせるのではと考えた。
【０００５】  既に先人の優れた特許がなされているが、絵柄のみの野菜、草花、果樹等の絵柄を表現した家庭菜園、植木鉢等の表示プレートであり、植えた日付、日英両方の言語による表示等、絵柄のみでは伝えられない概念を伝える盆栽・植木等の表示や、盆栽・植木等鉢類だけでなく、立ち木等の表示にも応用可能な、針金でフックにて引っ掛ける・土に差すだけでなく、針金でくくりつける、巻きつける、ぶら下げることも可能な表示を見出すことが出来なかった。
［特許公開２０１１−２２１４７４］
また、プラスチック製のプランターや植木鉢に差し込む形式のネームプレートで、その名札部分にマジック等手書きで表示をする製品が市販されているが、これはマジック等手書きが風化することにより消えてしまうことが考えられる。
【０００６】  そこで、パソコン画面ではなく盆栽・植木の土・本体・鉢等、又は立ち木等の本体に針金でフックにて引っ掛ける・土に差すだけでなく、針金でくくりつける、巻きつける、ぶら下げる等着脱容易にし、付ける外す手間を容易にし、その植物は名前や種を植えた日付は不変だが、成長の生育状況は生物として変化し続けるため、針金による表示をすれば、針金による表示を修正しさえすれば容易に変更が可能な変更容易性や着脱容易性、針金が風雨に耐える表示の耐久性・耐水性で、修正を要する表示部分と修正を要しない表示部分との併記も可能であり、重量が軽く鉢を移動する際に負担にならない軽量性、土である茶色や植物の緑以外の色も選択でき見る人の嗜好に応じ表示を同一色や類似色だけでなく対照色にも選択でき、その針金の太さに応じ目立つ表示にも植物に溶け込み景観を損ないにくい表示にも工夫可能な選択可能性等の利点があると考えられる。そしてその表示は、日本語の漢字、複雑で表現が難しい場合は平仮名や片仮名での代筆で通用するもの、乃至英語標記で、針金による絵文字の併記や植えた日付や育成年月のアラビア数字等も併記可能である。プラスチック製のプランターや植木鉢に差し込む形式のネームプレートで、その名札部分にマジック等手書きで表示をする製品が市販されているが、これはマジック等手書きが風化することにより消えてしまうことが考えられるが、針金による表示は風化による消失は、針金が磨滅したり或いは針金を引っ張って真っ直ぐにしない限り消失しない。
【０００７】  これに、現代日本の職場や家庭環境を鑑みるに、日本語や英語を解さない非英語圏からの外国人が珍しくなくなった事情を踏まえれば、簡単な図柄を添えれば尚理解されやすいだろうということは、植物等の表示にも、日英両言語と絵柄、漢字でなくアラビア数字があれば、読み手を選ばず理解が深まる可能性を高めると考えられる。
【０００８】  さらに、表示すべきは、その植物の名前や種を受けた日付、育成年月日だけでなく、例えば「水をやるな」「日光に当てるな」「動かすな」「温室内のみ」「１５度以下厳禁」等の植物の育成環境等の注意喚起表示もあり得ると考えられ、有用ではないかと考えられる。
【発明が解決しようとする課題】
【０００９】  植木鉢等の表示プレートであり、植えた日付、日英両方の言語による表示等、絵柄のみでは伝えられない概念を伝える盆栽・植木等の表示や、盆栽・植木等鉢類だけでなく、立ち木等の表示にも応用可能な、針金でフックにて引っ掛ける・土に差すだけでなく、針金でくくりつける、巻きつける、ぶら下げることも可能な表示を見出すことが出来なかった。
【課題を解決するための手段】
【００１０】  パソコン画面ではなく盆栽・植木の土・本体・鉢等、又は立ち木等の本体に針金でフックにて引っ掛ける・土に差すだけでなく、針金でくくりつける、巻きつける、ぶら下げる等着脱容易にし、付ける外す手間を容易にし、その植物は名前や種を植えた日付は不変だが、成長の生育状況は生物として変化し続けるため、針金による表示をすれば、針金による表示を修正市さえすれば容易に変更が可能な変更容易性や着脱容易性、針金が風雨に耐える表示の耐久性・耐水性で、修正を要する表示部分と修正を要しない表示部分との併記も可能であり、重量が軽く鉢を移動する際に負担にならない軽量性、土である茶色や植物の緑以外の色も選択でき見る人の嗜好に応じ表示を同一色や類似色だけでなく対照色にも選択でき、その針金の太さに応じ目立つ表示にも植物に溶け込み景観を損ないにくい表示にも工夫可能な選択可能性等の利点があると考えられる。そしてその表示は、日本語の漢字、複雑で表現が難しい場合は平仮名や片仮名での代筆で通用するもの、乃至英語標記で、針金による絵文字の併記や植えた日付や育成年月のアラビア数字等も併記可能である。プラスチック製のプランターや植木鉢に差し込む形式のネームプレートで、その名札部分にマジック等手書きで表示をする製品が市販されているが、これはマジック等手書きが風化することにより消えてしまうことが考えられるが、針金による表示は風化による消失は、針金が磨滅したり或いは針金を引っ張って真っ直ぐにしない限り消失しない。
【００１１】  これに、現代日本の職場や家庭環境を鑑みるに、日本語や英語を解さない非英語圏からの外国人が珍しくなくなった事情を踏まえれば、簡単な図柄を添えれば尚理解されやすいだろうということは、植物等の表示にも、日英両言語と絵柄、漢字でなくアラビア数字があれば、読み手を選ばず理解が深まる可能性を高めると考えられる。
【００１２】  さらに、表示すべきは、その植物の名前や種を受けた日付、育成年月日だけでなく、例えば「水をやるな」「日光に当てるな」「動かすな」「温室内のみ」「１５度以下厳禁」「引っこ抜いて持っていくな」等の植物の育成環境等の注意喚起表示もあり得ると考えられ、有用ではないかと考えられる。
パソコン画面で表示すべきは、そのパソコン使用者の在不在だけでなく、職場等でよくある「システムダウン」「サーバーメインテナンス中」「ＬＡＮメインテナンス中」「ウイルスチェック中」「頑張れ福島」とういった注意喚起も、絵柄、絵文字又は両記併用で有用ではないかと考えた。
【発明の効果】
【００１３】  盆栽・植木の土・本体・鉢等、又は立ち木等の本体に針金でフックにて引っ掛ける・土に差すだけでなく、針金でくくりつける、巻きつける、ぶら下げる等着脱容易にし、付ける外す手間を容易にし、その植物は名前や種を植えた日付は不変だが、成長の生育状況は生物として変化し続けるため、針金による表示をすれば、針金による表示を修正しさえすれば容易に変更が可能な変更容易性や着脱容易性、針金が風雨に耐える表示の耐久性・耐水性で、修正を要する表示部分と修正を要しない表示部分との併記も可能であり、重量が軽く鉢を移動する際に負担にならない軽量性、土である茶色や植物の緑以外の色も選択でき見る人の嗜好に応じ表示を同一色や類似色だけでなく対照色にも選択でき、その針金の太さに応じ目立つ表示にも植物に溶け込み景観を損ないにくい表示にも工夫可能な選択可能性のある、日本語の漢字、複雑で表現が難しい場合は平仮名や片仮名での代筆で通用するもの、乃至英語標記で、針金による絵文字の併記や植えた日付や育成年月のアラビア数字等も併記可能な表示が可能となった。
【００１４】  これに、現代日本の職場や家庭環境を鑑みるに、日本語や英語を解さない非英語圏からの外国人が珍しくなくなった事情を踏まえ、簡単な図柄を添え、植物等の表示にも、日英両言語と絵柄、漢字でなくアラビア数字があれば、読み手を選ばず理解が深まった。
【００１５】  さらに、「水をやるな」「日光に当てるな」「動かすな」「温室内のみ」「１５度以下厳禁」「引っこ抜いて持っていくな」等の植物の育成環境等の注意喚起表示も可能となった。
能となった。
【図面の簡単な説明】
【図１】本発明の正面図である。
【図２】本発明の正面図である。
【図３】本発明の正面図である。
【図４】本発明の正面図である。
【図５】本発明の正面図である。
【図６】本発明の正面図である。
【発明を実施するための形態】
本発明を実施するための形態を説明する。
【符号の簡単な説明】
１  植物
２  鉢
３  表示フック部
４  表示の表示部
５  ゴム管
６  図柄
７  絵文字
【図１】
2014183826.tif 000003
【図２】
2014183826.tif 000004
【図３】
2014183826.tif 000005
【図４】
2014183826.tif 000006
【図５】
2014183826.tif 000007
【図６】
2014183826.tif 000008